(57)【要約】【課題】高架送電線の鉄塔の上部に張られている地線を支持している懸垂クランプの点検作業や交換作業を行うときに、作業の安全を確保しながら、全体の作業時間も大幅に短縮できる地線用懸垂クランプの取り外し装置を提供する。【解決手段】本発明は、腕金に取り付けられた懸垂クランプにより支持されている地線を一時的に吊り上げ、懸垂クランプを取り外すために使用される地線用懸垂クランプの取り外し装置であって、当該地線用懸垂クランプの取り外し装置は、腕金の下面における懸垂クランプの取り付け位置に対応して、腕金の上面に設置される立設脚部と、立設脚部の上部両端から突出した水平アームから成る取付架台を備え、取付架台の水平アームの各先端に、地線の吊り上げ、吊り降ろしが可能な張線器を設けている。【選択図】図２
2009278693.tif 000002
【特許請求の範囲】
【請求項１】
腕金に取り付けられた懸垂クランプにより支持されている地線を一時的に吊り上げ、懸垂クランプを取り外すために使用される地線用懸垂クランプの取り外し装置であって、当該地線用懸垂クランプの取り外し装置は、腕金の下面における懸垂クランプの取り付け位置に対応して、腕金の上面に設置される立設脚部と、立設脚部の上部両端から突出した水平アームから成る取付架台を備え、取付架台の水平アームの各先端に、地線の吊り上げ、吊り降ろしが可能な張線器を設けていることを特徴とする地線用懸垂クランプの取り外し装置。
【発明の詳細な説明】
【技術分野】
【０００１】
本発明は、高架送電線の鉄塔の上部に張られている地線を支持している懸垂クランプの点検作業や交換作業を行うときに、懸垂クランプにより支持している地線を一時的に吊り上げて、懸垂クランプを取り外すことのできる地線用懸垂クランプの取り外し装置に関するものである。
【背景技術】
【０００２】
近年、高架送電線用の鉄塔の上部において、地線を支持している懸垂クランプが、経年劣化等によって発錆したり、また、地線が風力等の影響を受けることで、懸垂クランプが傾動し、破損した場合等の対策として、この懸垂クランプを取り外して点検したり、新しい懸垂クランプに取り替える措置が採られている。
【０００３】
この地線Ｌは、例えば、図８に示すように、鉄塔の上部において水平方向に突出している腕金Ｑを構成するアングル部材Ａの水平片Ａ２の下面に、ボルトによりに固定された懸垂クランプＰにより支持されている。
【０００４】
すなわち、懸垂クランプＰは、腕金Ｑを構成するアングル部材Ａの水平片Ａ２に固定される懸垂装置取付金具１と、懸垂装置取付金具１に連結される１枚リンク２と、１枚リンク２に連結される下部が外方向に広がった連結金具３と、連結金具３の下端に固定される受け金具４と、受け金具４上に支持される架線金具５を有している。
【０００５】
この懸垂装置取付金具１は、金属平板の下面に二股の金具を溶接して構成されており、二股の金具には、１枚リンク２の上端がボルトで連結されている。また、１枚リンク２の下端には、連結金具３の上端がボルトで連結されている。
【０００６】
連結金具３は、下部が外方向に広がっており、その下端は受け金具４の内面にそれぞれ当接され、コッターピンにより連結されている。
【０００７】
また、受け金具４上には、架線金具５が溶接されている。この架線金具５は、地線Ｌを保持するために、上側が開放した溝部６を有している。
【０００８】
そして、架線金具５の溝部６には、地線Ｌが位置し、脱落防止板７が溝部６の上面を覆うようにボルトにより固定され、地線Ｌが溝部６から脱落することを防止している。
【０００９】
懸垂クランプＰの懸垂装置取付金具１と、懸垂装置取付金具１に連結される１枚リンク２と、１枚リンク２に連結される連結金具３と、これらを連結する各ボルトは、地線Ｌが風力等の影響を受けることで個々の構成部材が傾動し、擦れあって磨耗することから、この懸垂クランプＰを取り外して異常の有無を点検したり、新しい懸垂クランプＰに取り替える措置が必要となる。
【００１０】
この場合、懸垂クランプＰは地線Ｌを支持していることから、そのままの状態では懸垂クランプＰを取り外すことは不可能である。
【００１１】
その為、懸垂クランプＰから地線Ｌを取り外し、他の部材により地線Ｌを一時的に支持する必要がある。
【００１２】
そして、従来においては、地線Ｌを一時的に支持する措置として、図９に示すように、カムアロング８とチェーンブロック９が用いられている。
【００１３】
具体的には、作業員が地線Ｌに乗り出し、鉄塔を介して両側に張り出している地線Ｌの左右対称箇所に、カムアロング８を取り付けている。また、これと同時に、鉄塔の上部における両側に、水平張力３トンの力に耐えられるチェーンブロック９を取り付けている。
【００１４】
そして、両カムアロング８をチェーンブロック９のチェーン１０により鉄塔の両側から均等に締め付け、地線Ｌの張力をチェーンブロック９とチェーン１０側に移行させて、懸垂クランプＰに対して地線Ｌの荷重を無くしたフリーな状態にすることで、当該懸垂クランプＰを取り外して異常の有無を点検したり、新しい懸垂クランプＰに取り替えていたのである。
【００１５】
この他、腕金Ｑに固定された懸垂クランプＰにより支持されている地線Ｌを一時的に吊り上げる装置としては、例えば、特許文献１に開示されている架線吊り上げ装置が存在する。
【００１６】
この架線吊り上げ装置は、腕金Ｑに台座部が固定され、該台座部上に、上端が上下動可能なジャッキが設けられ、該ジャッキにより上下動可能に水平アームが支持され、該水平アームと架線を連結体によって連結するものである。
【特許文献１】特開２００５−１８４９２７号公報
【発明の開示】
【発明が解決しようとする課題】
【００１７】
しかしながら、従来のカムアロング８とチェーンブロック９を用いた地線Ｌの一時的な支持措置においては、安全のために送電線路の充電を停め、鉄塔の上部において、作業員が地線Ｌに乗り出して作業を行うことから、懸垂クランプＰの交換作業に時間を要し、しかも、多くの作業員がいないと、停止期間内にこの交換作業を終えることができないという弊害が生じていた。
【００１８】
また、カムアロング８を取り付けるために、地線Ｌに沿って３ｍ〜５ｍ程の距離を作業員が乗り出す必要があることから、作業員は安定した体勢で作業ができず、鉄塔という高所における危険作業の要因が増加している。
【００１９】
さらに、カムアロング８を設ける箇所が鉄塔から遠い位置にあるため、チェーンブロック９のチェーン１０が５ｍ以上と長くなり、作業性が悪くなると同時に、垂れ下がったチェーン１０が充電部に接触する危険性がある。
【００２０】
しかも、懸垂クランプＰを取り外す際に、地線Ｌの取り込み量が多いため、懸垂クランプＰに地線Ｌの重量や地線Ｌの撚りが入り、作業性が悪い。
【００２１】
また、懸垂クランプＰの交換が終わった後で、再びカムアロング８を外すために地線Ｌに沿って作業員が乗り出す必要があることから、全体として非常に面倒な作業となっている。
【００２２】
加えて、送電線を停止する場合、需要の少ない時期や発電所が停められる時期に合わせることから、広範囲な送電線路で送電を停止するときは多くの電工が同時に必要となるが、この電工の多人数確保が困難である。
【００２３】
また、地線Ｌは、カムアロング８を介して鉄塔の上部におけるチェーンブロック９側に引かなければならないので、この張力に対抗可能となるようにチェーンブロック９の強度を必要とし、例えば、水平張力３トンの力に耐えられる大型重量性のチェーンブロック９等を使用しなければならないこととなる。
【００２４】
一方、特許文献１に示す架線吊り上げ装置は、鉄塔の上部でジャッキ等の重量物を使用して作業することから、架線吊り上げ装置自体が不安定となって落下する危険性がある。
【００２５】
しかも、このようなジャッキ構造による架線吊り上げ装置は、地線の荷重がジャッキに直接掛かるため、垂直荷重の耐えられる大型重量性のジャッキを必要とし、大型鉄塔における高所作業に不向きであるという問題点を有している。
【００２６】
そこで、本発明は如上のような従来存した諸事情に鑑み創出されたもので、高架送電線の鉄塔の上部に張られている地線を支持している懸垂クランプの点検作業や交換作業を行うときに、作業の安全を確保しながら、全体の作業時間も大幅に短縮できる地線用懸垂クランプの取り外し装置を提供することを目的とする。
【課題を解決するための手段】
【００２７】
本発明は、腕金Ｑに取り付けられた懸垂クランプＰにより支持されている地線Ｌを一時的に吊り上げ、懸垂クランプＰを取り外すために使用される地線用懸垂クランプの取り外し装置であって、当該地線用懸垂クランプの取り外し装置は、腕金Ｑの下面における懸垂クランプＰの取り付け位置に対応して、腕金Ｑの上面に設置される立設脚部と、立設脚部の上部両端から突出した水平アームから成る取付架台を備え、取付架台の水平アームの各先端に、地線Ｌの吊り上げ、吊り降ろしが可能な張線器を設けていることで、上述した課題を解決した。
【発明の効果】
【００２８】
本発明によれば、高架送電線の鉄塔の上部に張られている地線Ｌを支持している懸垂クランプＰの点検作業や交換作業を行うために、懸垂クランプＰを取り外す際に、作業の安全性を確保しながら、全体の作業時間を大幅に短縮して、従来の工法と比較して、作業効率を大幅に向上させることができる。
【００２９】
すなわち、本発明は、腕金Ｑに取り付けられた懸垂クランプＰにより支持されている地線Ｌを一時的に吊り上げ、懸垂クランプＰを取り外すために使用される地線用懸垂クランプの取り外し装置であって、当該地線用懸垂クランプの取り外し装置は、腕金Ｑの下面における懸垂クランプＰの取り付け位置に対応して、腕金Ｑの上面に設置される立設脚部と、立設脚部の上部両端から突出した水平アームから成る取付架台を備え、取付架台の水平アームの各先端に、地線Ｌの吊り上げ、吊り降ろしが可能な張線器を設けていることから、取付架台とその張線器により、地線Ｌを支持することができる。
【００３０】
具体的には、地線Ｌの荷重が、取付架台の水平アームにおける２個の張線器に掛かり、懸垂クランプＰに対する負荷が無くなる状態を一時的に造り、腕金Ｑから懸垂クランプＰを取り外すことを可能にしているのである。
【００３１】
そして、懸垂クランプＰの取り外しに、従来のようにカムアロングとチェーンブロックを使用しないことから、全体の作業時間を短縮している。
【００３２】
例えば、昇塔して作業を行い且つ降塔するまでの時間は、作業員が３人で４時間必要であった作業が、３時間程度で可能になった。
【００３３】
加えて、多くの作業員を必要とせず、少人数で、停止期間内の懸垂クランプＰの点検・交換作業を終えることができる。
【００３４】
また、地線Ｌに沿って３ｍ〜５ｍ程の距離を作業員が乗り出す必要がなく、作業員は安定した体勢で作業を行って、鉄塔という高所における危険作業の要因を減らすことができる。
【００３５】
さらに、チェーンが垂れ下がって充電部に接触する危険性もない。
【００３６】
また、取付架台と張線器により地線Ｌを垂直に持ち上げるため、小型軽量の張線器であっても施工が可能となり、その運搬も容易である。
【００３７】
例えば、従来のような重量１０ｋｇの３号カムアロングの２丁が不要となることから、地線用懸垂クランプの取り外し装置の運搬が極めて容易になっている。
【００３８】
さらに、取付架台に取り付けた２個の張線器により地線Ｌを垂直に持ち上げるため、いわゆる二本吊りの状態となり、地線Ｌの荷重が分散されることから、２個の張線器による地線Ｌの持ち上げが容易になっている。
【００３９】
しかも、作業中に地線Ｌに傷損を与えることもない。
【発明を実施するための最良の形態】
【００４０】
以下に、本発明を実施するための最良の形態を、図面を参照して説明する。
【００４１】
本発明に係る地線用懸垂クランプの取り外し装置は、高架送電線の鉄塔の上部に張られている地線Ｌを支持している懸垂クランプＰの点検作業や交換作業を行うときに、懸垂クランプＰにより支持している地線Ｌを一時的に吊り上げて、懸垂クランプＰを取り外すことを可能にしている。
【００４２】
この懸垂クランプＰは、図８に示すように、鉄塔における腕金Ｑに取り付けられている。鉄塔における腕金Ｑは、その上方において、２本のアングル部材Ａを備えている。２本のアングル部材Ａは、基端部分である鉄塔側においては、水平方向において、所定の離隔距離を有している。
【００４３】
そして、２本のアングル部材Ａは、先端側に行くに従い離隔距離を短くして、先端部において接合した状態で固定されている。２本のアングル部材Ａは、それぞれ垂設片Ａ１とこの垂設片Ａ１に連設した水平片Ａ２を有し、腕金Ｑの先端部は、この２本のアングル部材Ａの垂設片Ａ１が接合したもので、水平片Ａ２と合わせて全体が略逆Ｔ字形に形成されている。
【００４４】
懸垂クランプＰは、腕金Ｑの先端部において、所定のボルトとナットを介して、アングル部材Ａの水平片Ａ２の下面に取り付けられている。
【００４５】
また、地線Ｌは、図８に示すように、アングル部材Ａの水平片Ａ２に取り付けた懸垂クランプＰにより支持されている。
【００４６】
この懸垂クランプＰは、腕金Ｑの水平片Ａ２に固定される懸垂装置取付金具１と、懸垂装置取付金具１に連結される１枚リンク２と、１枚リンク２に連結される下部が外方向に広がった連結金具３と、連結金具３の下端に固定される受け金具４と、受け金具４上に支持される架線金具５を有している。
【００４７】
また、懸垂装置取付金具１は、金属平板の下面に二股の金具を溶接して構成されており、二股の金具には、１枚リンク２の上端がボルトで連結されている。さらに、１枚リンク２の下端には、連結金具３の上端がボルトで連結されている。
【００４８】
連結金具３は、下部が外方向に広がっており、その下端は受け金具４の内面にそれぞれ当接され、コッターピンにより連結されている。
【００４９】
また、受け金具４上には、架線金具５が溶接されている。この架線金具５は、地線Ｌを保持するために、上側が開放した溝部６を有している。
【００５０】
そして、架線金具５の溝部６には、地線Ｌが位置し、脱落防止板７が溝部６の上面を覆うようにボルトにより固定され、地線Ｌが溝部６から脱落することを防止している。
【００５１】
本発明に係る地線用懸垂クランプの取り外し装置は、図１に示すように、高架送電線の鉄塔において、水平方向に突出する腕金Ｑを構成するアングル部材Ａの水平片Ａ２の下面に取り付けた懸垂クランプＰの取り付け位置に対応して、アングル部材Ａの水平片Ａ２の上面に設置される立設脚部１２と、立設脚部１２の上部両端から水平方向に突出した水平アーム１３から成り、全体が略Ｔ字形に形成されている取付架台１１によって構成されている。
【００５２】
また、地線用懸垂クランプの取り外し装置における取付架台１１は、自身により自立可能に形成されている。そのため、腕金Ｑに取付架台１１を置いたときに、取付架台１１の転倒を避けるためにわざわざ取付架台１１を支える必要がなく、腕金Ｑに取付架台１１を簡単に固定することができる。
【００５３】
具体的には、図５（ａ）（ｂ）（ｅ）（ｆ）に示すように、断面が略Ｔ字状と成るように形成されている水平アーム１３において、その下側の中央から、左右一対の帯板１２ａを下方に向けて延設することで、二股状の立設脚部１２を構成している。
【００５４】
二股状の立設脚部１２の中間部分は、図５（ａ）（ｂ）に示すように、縦幅の狭い帯板１２ｂにより連結され、この帯板１２ｂの上方には、略矩形状の開口部１２ｃを有している。また、水平アーム１３の各先端には、後述する連結体２１を吊持するための孔部１３ａが設けられている。また、水平アーム１３の下面から両帯板１２ａの下方に向けて、長方形状の補強板１２ｄを取り付けている。
【００５５】
また、図５（ｄ）（ｅ）に示すように、二股状の立設脚部１２を構成する左右一対の帯板１２ａにおいて、開口部１２ｃの下方に位置している各内側縁に、一対の挟持片１４を設けている。この挟持片１４は、板状に形成され、その下方には、前方に突出した支持板部分１４ａを有している。
【００５６】
さらに、図５（ｄ）（ｆ）に示すように、股状の立設脚部１２を構成する左右一対の帯板１２ａの裏側においても、開口部１２ｃの下方に位置している各内側縁に、一対の挟持片１７を設けている。この挟持片１７は、下方に行くに従い幅広となった三角形の板状に形成されている。また、二股状の立設脚部１２の裏側においても、水平アーム１３の下面から両帯板１２ａの下方に向けて、長方形状の補強板１２ｄを取り付けている。
【００５７】
そして、図１に示すように、二股状の立設脚部１２により、腕金Ｑを構成する２本のアングル部材Ａの接合している両垂設片Ａ１を挟み込み、立設脚部１２に固定している両挟持片１４の支持板部分１４ａを、両垂設片Ａ１に当接させているのである。また、立設脚部１２を構成する左右一対の帯板１２ａの裏側においても、一対の挟持片１７を、両垂設片Ａ１に当接させているのである。
【００５８】
このとき、取付架台１１は、腕金Ｑを構成する２本のアングル部材Ａの水平片Ａ２において、自立可能に形成されている。
【００５９】
すなわち、図１に示すように、二股状の立設脚部１２により、腕金Ｑを構成する２本のアングル部材Ａの接合している両垂設片Ａ１を挟み込んだときには、左右一対の帯板１２ａの底面が、2本のアングル部材Ａの水平片Ａ２に当接する。同時に、挟持片１４の支持板部分１４ａの底面と、挟持片１７の底面も、２本のアングル部材Ａの水平片Ａ２に当接する。
【００６０】
そして、二股状の立設脚部１２を構成する左右一対の帯板１２ａに対して、挟持片１４・１７が９０度の角度を有するように固定されていることから、これらの帯板１２ａの底面と、挟持片１４・１７の底面が２本のアングル部材Ａの水平片Ａ２に当接することで、取付架台１１が自立するのである。
【００６１】
さらに、図５（ｄ）（ｅ）に示すように、両挟持片１４の支持板部分１４ａには、横向きに長孔１４ｂが設けられている。そして、腕金Ｑを構成する２本のアングル部材Ａの接合している両垂設片Ａ１に取り付けられているボルトを使い、該ボルトを、支持板部分１４ａの長孔１４ｂを介して腕金Ｑの両垂設片Ａ１に挿通させ、立設脚部１２を前後方向にスライドさせて位置を調整してから、反対側からナットで締め付け、腕金Ｑの先端部に取付架台１１を固定している。
【００６２】
また、図２に示すように、水平アーム１３の各先端には、張線器２１が吊設されている。そして、張線器２１の下端部において、地線Ｌが支持されている。
【００６３】
地線Ｌを支持する張線器２１は、所定の吊り金具２２を上端部に備えている基礎フレーム２３と、地線Ｌの吊り金具２４を下端部に備えている移動フレーム２５から構成されており、基礎フレーム２３側に巻き取られるワイヤー２６を介して、地線Ｌを吊っている移動フレーム２５が上下方向に移動できるようになっている。
【００６４】
張線器２１を構成する基礎フレーム２３は、水平アーム１３の各先端に形成された孔部１３ａに掛止した吊り金具２２により、水平アーム１３の各先端に取り付けられている。
【００６５】
この基礎フレーム２３は、所定の長さのワイヤー２６を巻き取っている回転ドラム２７を有している。また、基礎フレーム２３は、ラチェットギア２８と、このラチェットギア２８に取り付けたハンドル２９を備えている。
【００６６】
ラチェットギア２８は、所定の切替えレバーを有しており、この切替えレバーを、例えば、「巻」位置に固定することにより、ハンドル２９を往復揺動させて、ワイヤー２６を巻き取る方向に回転ドラム２７を作動させることができる。また、切替えレバーを、例えば、「戻」位置に固定することにより、ハンドル２９を往復揺動させて、ワイヤー２６を送り出す方向に回転ドラム２７を作動させることもできる。
【００６７】
地線Ｌの吊り金具２４を下端部に備えている移動フレーム２５は、吊り金具２４の上方に滑車３０を有している。
【００６８】
そして、水平アーム１３の各先端に取り付けられている基礎フレーム２３の回転ドラム２７から引き出されているワイヤー２６を、移動フレーム２５の滑車３０を下方から支持するように移動フレーム２５の滑車３０に巻回している。また、基礎フレーム２３は、回転ドラム２７の近傍に固定ボルト３１を有しており、移動フレーム２５の滑車３０に巻回しているワイヤー２６の先端部を、この固定ボルト３１に固定している。
【００６９】
その為、ハンドル２９を往復揺動させて、ワイヤー２６を巻き取る方向に回転ドラム２７を作動させると、基礎フレーム２３の下方に引き出されているワイヤー２６が次第に短くなり、それに伴って移動フレーム２５の滑車３０が回転して、地線Ｌを吊っている移動フレーム２５が上方向に持ち上げられていく。
【００７０】
また、ハンドル２９を往復揺動させて、ワイヤー２６を引き出す方向に回転ドラム２７を作動させると、基礎フレーム２３の下方に引き出されているワイヤー２６が次第に長くなり、それに伴って移動フレーム２５の滑車３０が回転して、地線Ｌを吊っている移動フレーム２５が下方向に降ろされていく。
【００７１】
次に、以上のように構成された地線用懸垂クランプの取り外し装置を用いた、地線用懸垂クランプの取り外し方法について詳述する。
【００７２】
この地線用懸垂クランプの取り外し方法は、取付架台１１の立設脚部１２を腕金Ｑの上面に設置する工程と、取付架台１１の水平アーム１３の各先端に張線器２１を吊り下げた状態に設ける工程と、張線器２１を操作して地線Ｌを一時的に吊り上げ、地線Ｌを支持していた懸垂クランプＰを取り外す工程と、から成る。
【００７３】
（取付架台の立設脚部を腕金の上面に設置する工程）
先ず、図４（ａ）に示すように、地線Ｌと懸垂クランプＰとを、導体で接続することで、予め接地作業を行っておく。
【００７４】
そして、図１・図４（ｂ）に示すように、高架送電線の鉄塔において、水平方向に突出する腕金Ｑを構成するアングル部材Ａの水平片Ａ２の下面に取り付けた懸垂クランプＰの取り付け位置に対応して、アングル部材Ａの水平片Ａ２の上面に、取付架台１１を取り付ける。
【００７５】
このとき、図１に示すように、取付架台１１は、二股状の立設脚部１２により、腕金Ｑを構成する２本のアングル部材Ａの接合している両垂設片Ａ１を挟み込み、立設脚部１２に固定している両挟持片１４の支持板部分１４ａを、両垂設片Ａ１に当接させている。
【００７６】
そして、両挟持片１４の支持板部分１４ａには、横向きに長孔１４ｂが設けられている。そして、腕金Ｑを構成する２本のアングル部材Ａの接合している両垂設片Ａ１に取り付けられているボルトを一旦取り外し、このボルトを、支持板部分１４ａの長孔１４ｂを介して腕金Ｑの両垂設片Ａ１に挿通させ、立設脚部１２を前後方向にスライドさせて位置を調整してから、反対側からナットで締め付け、腕金Ｑの先端部に取付架台１１を固定する。
【００７７】
（取付架台の水平アームの各先端に張線器を吊り下げた状態に設ける工程）
次に、図２・図４（ｃ）に示すように、水平アーム１３の各先端に形成された孔部１３ａに吊り金具２２を掛止し、水平アーム１３の各先端に張線器２１を構成する基礎フレーム２３を吊り下げた状態に設ける。
【００７８】
また、基礎フレーム２３の回転ドラム２７からワイヤー２６を引き出し、移動フレーム２５を下方向に降ろして、地線Ｌに近づけていく。
【００７９】
（張線器を操作して地線を一時的に吊り上げ、地線を支持する工程）
移動フレーム２５を地線Ｌに接近させてから、図２に示すように、移動フレーム２５の吊り金具２４を地線Ｌに装着する。
【００８０】
この状態において、張線器２１のラチェットギア２８が有している切替えレバーを、例えば、「巻」位置に固定してからハンドル２９を往復揺動させ、ワイヤー２６を巻き取る方向に回転ドラム２７を作動させて、地線Ｌを吊っている移動フレーム２５を上方向に持ち上げていく。
【００８１】
この様にして、取付架台１１の水平アーム１３の各先端に取り付けた張線器２１により、地線Ｌを一時的に吊り上げる。
【００８２】
このとき、地線Ｌの荷重は、取付架台１１の水平アーム１３の各先端に取り付けた２個の張線器２１に全て掛かり、懸垂クランプＰに対する負荷が無くなっている。
【００８３】
（地線を支持していた懸垂クランプを取り外す工程）
この様にして、懸垂クランプＰに対する地線Ｌの負荷を無くしてから、図３・図４（ｄ）に示すように、腕金Ｑを構成するアングル部材Ａの水平片Ａ２の下面に取り付けている懸垂クランプＰを取り外す。
【００８４】
取り外した懸垂クランプＰは、異常の有無を点検し、必要があれば新しい懸垂クランプＰに取り替えて、この懸垂クランプＰを腕金Ｑに取り付ける。
【００８５】
その後、張線器２１のラチェットギア２８が有している切替えレバーを、例えば、「戻」位置に固定してからハンドル２９を往復揺動させ、ワイヤー２６を送り出す方向に回転ドラム２７を作動させて、地線Ｌを吊っている移動フレーム２５を下方向に降ろしていく。
【００８６】
そして、最終的に地線Ｌの荷重を、懸垂クランプＰに掛けるのである。
【００８７】
最後に、地線Ｌから張線器２１を外してから、腕金Ｑに取り付けている取付架台１１を撤去する。
【００８８】
この他、図６には、取付架台１１の他の形態が示されている。
【００８９】
この取付架台１１は、図６（ａ）乃至（ｆ）に示すように、断面Ｔ字状の水平アーム１３の下側中央から、２枚の帯板１２ａが下方に向けて突設され、下端部を連結板により連結した立設脚部１２を構成している。そして、２枚の帯板１２ａの中央には、矩形の開口部を形成している。
【００９０】
この水平アーム１３の各先端には、前述した張線器２１を吊持するための孔部１３ａが設けられている。また、水平アーム１３下面から立設脚部１２の下端に側にかけて三角板状の補強用リブ１５が左右一対となって延設されている。
【００９１】
さらに、立設脚部１２の下端には、水平板による台座部１６が溶接により固定されている。台座部１６は、図６（ｃ）に示すように、水平アーム１３に対して直交するようにして、立設脚部１２の下端部において水平方向に延設されている。
また、台座部１６は、図６（ｅ）（ｆ）に示すように、立設脚部１２を境にして、矩形の開口部を２個形成している。さらに、台座部１６の四隅には、ボルトを介して取付架台１１を腕金Ｑに取り付けるための、ボルト孔１６ａが形成されている。
【００９２】
このタイプの取付架台１１は、図７に示すように、２本のアングル部材Ａの先端部の上面がフラットに形成されており、その上に固定板３２が取り付けられている状態において、この固定板３２に設置するのに好ましいものである。
【００９３】
このとき、２本のアングル部材Ａは、それぞれ垂設片Ａ１と、垂設片Ａ１の上端に連設した水平片Ａ２とを有し、腕金Ｑの先端部は、この２本のアングル部材Ａの垂設片Ａ１、水平片Ａ２が近接した状態となっている。
【００９４】
固定板３２は、２本のアングル部材Ａの水平片Ａ２の輪郭に沿うように、先端側の長方形状に形成されている部分と、基端側の略台形状に形成されている部分を連設し、全体として所定の長さを有する板状に形成されている。
【００９５】
この固定板３２は、腕金Ｑの先端部において、所定のボルトとナットを介して、アングル部材Ａの水平片Ａ２の上面に取り付けられている。
【００９６】
また、２本のアングル部材Ａの水平片Ａ２と固定板３２の長方形状部分の接合部において、長方形状部分の四隅に該当する位置に、水平片Ａ２と固定板３２を連通するボルト孔が形成されている。
【００９７】
そして、これらのボルト孔に、取付架台１１の台座部１６のボルト孔１６ａを合致させ、所定のボルトとナットを介して、取付架台１１を固定板３２に固定しているのである。
【産業上の利用可能性】
【００９８】
本発明に係る地線用懸垂クランプの取り外し装置は、地線を鉄塔における上方へ吊り上げ、仮保持して行う様々な作業に、幅広く利用することができる。
【図面の簡単な説明】
【００９９】
【図１】取付架台を腕金の先端部に取り付けた状態を示す斜視図である。
【図２】取付架台を腕金の先端部に取り付け、２個の張線器により地線を支持している状態を示す斜視図である。
【図３】取付架台を腕金の先端部に取り付け、２個の張線器により地線を支持している状態において、腕金から懸垂クランプを取り外した状態を示す斜視図である。
【図４】地線用懸垂クランプの取り外し装置を用いた懸垂クランプの取り外し工程を示すもので、（ａ）は接地作業を行った状態を示す側面図、（ｂ）は取付架台を腕金の先端部に取り付けた状態を示す側面図、（ｃ）は取付架台を腕金の先端部に取り付け、２個の張線器により地線を支持している状態を示す側面図、（ｄ）は取付架台を腕金の先端部に取り付け、２個の張線器により地線を支持している状態において、腕金から懸垂クランプを取り外した状態を示す側面図である。
【図５】取付架台の構成を示すもので、（ａ）は正面図、（ｂ）は背面図、（ｃ）は平面図、（ｄ）は側面図、（ｅ）は後方側から見た斜視図、（ｆ）は前方側から見た斜視図である。
【図６】立設脚部の下端に水平板による台座部を固定している取付架台の構成を示すもので、（ａ）は正面図、（ｂ）は背面図、（ｃ）は平面図、（ｄ）は側面図、（ｅ）は後方側から見た斜視図、（ｆ）は前方側から見た斜視図である。
【図７】立設脚部の下端に水平板による台座部を固定している取付架台を、固定板を介して腕金の先端部に取り付けた状態を示す斜視図である。
【図８】腕金の下面に取り付けた懸垂クランプにより、地線を支持している状態を示す斜視図である。
【図９】カムアロングとチェーンブロックを用いて、地線を一時的に支持している従来の工法を示す側面図である。
【符号の説明】
【０１００】
Ａ…アングル部材
Ａ１…垂設片
Ａ２…水平片
Ｐ…懸垂クランプ
Ｑ…腕金
Ｌ…地線
１…懸垂装置取付金具
２…１枚リンク
３…連結金具
４…受け金具
５…架線金具
６…溝部
７…脱落防止板
８…カムアロング
９…チェーンブロック
１０…チェーン
１１…取付架台
１２…立設脚部
１２ａ…帯板
１２ｂ…帯板
１２ｃ…開口部
１２ｄ…補強板
１３…水平アーム
１３ａ…孔部
１４…挟持片
１４ａ…支持板部分
１４ｂ…長孔
１５…補強用リブ
１６…台座部
１６ａ…ボルト孔
１７…挟持片
２１…張線器
２２…吊り金具
２３…基礎フレーム
２４…吊り金具
２５…移動フレーム
２６…ワイヤー
２７…回転ドラム
２８…ラチェットギア
２９…ハンドル
３０…滑車
３１…固定ボルト
３２…固定板
【図１】
2009278693.tif 000003
【図２】
2009278693.tif 000004
【図３】
2009278693.tif 000005
【図４】
2009278693.tif 000006
【図５】
2009278693.tif 000007
【図６】
2009278693.tif 000008
【図７】
2009278693.tif 000009
【図８】
2009278693.tif 000010
【図９】
2009278693.tif 000011